(57)【要約】【課題】  セードの見栄えが損なわれることを抑制するとともに、照明光の広がりや配光を変更できる吊り下げ形照明器具を提供する。【解決手段】  吊り下げ形照明器具４２は、吊り下げられる器具本体４３と、側面３ａの周方向に複数個の貫通孔３５を有し、器具本体４３の上面側に載置されるリング体３と、上下方向の両端にそれぞれ開口３６，３７を有して器具本体４３およびリング体３を収容可能な筒状に形成され、外面４ａから内面４ｂに向かって拡開する挿通孔３８が周方向にリング体３の複数個の貫通孔３５に対応して設けられ、周方向の複数個の挿通孔３８を１組として複数組が上下方向に設けられたセード４と、挿通孔３８内に設けられた光反射手段５と、セード４の１組の挿通孔３８およびリング体３の貫通孔３５にそれぞれ挿入された支持軸６と、支持軸６をセード４に固定する固定手段７とを具備している。【選択図】図７
2013157192.tif 000002
【特許請求の範囲】
【請求項１】
吊り下げられる器具本体と；
側面の周方向に複数個の貫通孔を有し、前記器具本体の上面側に載置されるリング体と；
上下方向の両端にそれぞれ開口を有して前記器具本体および前記リング体を収容可能な筒状に形成され、外面から内面に向かって拡開する挿通孔が周方向に前記リング体の複数個の貫通孔に対応して設けられ、周方向の複数個の前記挿通孔を１組として複数組が前記上下方向に設けられたセードと；
前記挿通孔内に設けられた光反射手段と；
前記セードの１組の挿通孔および前記リング体の貫通孔にそれぞれ挿入された支持軸と；
この支持軸を前記セードに固定する固定手段と；
を具備していることを特徴とする吊り下げ形照明器具。
【請求項２】
前記光反射手段は、金属製の反射鏡からなり、この反射鏡が前記挿通孔に嵌め込まれていることを特徴とする請求項１記載の吊り下げ形照明器具。
【発明の詳細な説明】
【技術分野】
【０００１】
本発明の実施形態は、照明空間を装飾するセードを備えた吊り下げ形照明器具に関する。
【背景技術】
【０００２】
この種の吊り下げ形照明器具には、例えば天井から垂下する吊り下げコードの下端部に器具本体が取り付けられ、この器具本体に光源を覆うようにしてセードが支持されているものがある。例えば、支持柱の係止部を円筒形のセードに貫設された貫通孔に挿入し、支持柱の雄ねじ部を器具本体の側面に設けたねじ孔に螺合する照明器具が提案されている（特許文献１参照。）。この特許文献１の照明器具は、支持柱の係止部がセードの貫通孔を通してセードの外側面に突出しないように支持柱の係止部の寸法を設定しており、これにより、セードの外観上の見栄えが良くなるというものである。そして、貫通孔に替えて、セードの内側面に凹部を設けることが開示されている。
【０００３】
また、器具本体に対するセードの取付位置を上下方向で連続的に変更できる照明器具が提案されている（特許文献２参照。）。この特許文献２の照明器具は、複数個の支持フレームの先端側にそれぞれ設けた各アジャスタを進退させてセードの内周面に当接させるものである。これにより、セードは、その内周面が各アジャスタに載せ掛けられ、器具本体の周囲を覆いつつ、器具本体に対して取り付けられるものである。
【先行技術文献】
【特許文献】
【０００４】
【特許文献１】特開２００４−４７３１３号公報（第４頁、第１図）
【特許文献２】特開２００５−１５８４４８号公報（第５頁、第１図）
【発明の概要】
【発明が解決しようとする課題】
【０００５】
特許文献２の照明器具は、セードの内周面が各支持フレームのアジャスタに載せ掛けられることにより、セードが器具本体に対して取り付けられる。したがって、セードは、下広がりの円錐台や角錐台などの錐台状に限定され、例えば円筒形などの筒状に形成できないという欠点を有する。
【０００６】
また、特許文献１の照明器具は、器具本体に対するセードの取付位置がセードに形成された貫通孔により設定されるので、セードから出射される照明光の広がりや配光を変更できないものである。
【０００７】
本実施形態は、セードの外観上の見栄えが損なわれることを抑制するとともに、照明光の広がりや配光を変更できる吊り下げ形照明器具を提供することを目的とする。
【課題を解決するための手段】
【０００８】
本実施形態の吊り下げ形照明器具は、器具本体、リング体、セード、光反射手段、支持軸および固定手段を有して構成される。
【０００９】
器具本体は、天井などの造営物に吊り下げられる。
【００１０】
リング体は、その側面の周方向に複数個の貫通孔を有する。そして、リング体は、器具本体の上面側に載置される。
【００１１】
セードは、上下方向の両端にそれぞれ開口を有する筒状に形成されているとともに、器具本体およびリング体を収容可能に形成されている。そして、セードは、外面から内面に向かって拡開する挿通孔が周方向にリング体の複数個の貫通孔に対応して設けられている。挿通孔は、周方向の複数個の挿通孔を１組として複数組がセードの上下方向に設けられている。
【００１２】
光反射手段は、挿通孔内に設けられている。
【００１３】
支持軸は、セードの１組の挿通孔およびリング体の貫通孔にそれぞれ挿入され、固定手段は、支持軸をセードに固定している。
【発明の効果】
【００１４】
本発明の実施形態によれば、セードの上下方向に複数組の挿通孔が設けられているので、支持軸が挿入される１組の挿通孔を変更することにより、器具本体に対するセードの取付位置を変更することができる。また、挿通孔内には、光反射手段が設けられているので、支持軸が挿入されない挿通孔からの出射光が所定の方向に制御され、これにより、セードの外観上の見栄えが損なわれることが抑制できることが期待できる。
【図面の簡単な説明】
【００１５】
【図１】本発明の第１の実施形態を示す吊り下げ形照明器具の概略正面図である。
【図２】同じく、吊り下げ形照明器具の概略縦断面図である。
【図３】同じく、吊り下げ形照明器具の概略上面図である。
【図４】同じく、光源を取り外した状態の吊り下げ形照明器具の概略下面図である。
【図５】同じく、図２のＡ部分の拡大図である。
【図６】同じく、光源を示し、（ａ）は概略正面図、（ｂ）は概略下面図である。
【図７】本発明の第２の実施形態を示す吊り下げ形照明器具の概略縦断面図である。
【図８】同じく、吊り下げ形照明器具の概略上面図である。
【図９】同じく、図７のＢ部分の拡大図である。
【発明を実施するための形態】
【００１６】
以下、本発明の一実施の形態について、図面を参照して説明する。まず、本発明の第１の実施形態について説明する。
【００１７】
本実施形態の吊り下げ形照明器具１は、例えば室内などで使用されるペンダント形の照明器具であり、図２に示すように、器具本体２、リング体３、セード４、光反射手段としての反射鏡５、支持軸６および固定手段としてのナット７を有して構成されている。吊り下げ形照明器具１は、光源としてＬＥＤランプ８が取り付けられている。
【００１８】
器具本体２は、例えばポリブチレンテレフタレート（ＰＢＴ）樹脂からなり、天板部９およびこの天板部９の下面（内面）９ｂ側の中央部に円柱状の凸部１０を有する円筒体に形成されている。そして、凸部１０には、天板部９の上面９ａから下面９ｂ側に達する挿入孔１１が形成されている。この挿入孔１１に天板部９の上面９ａ側から電源コード１２が挿入されている。
【００１９】
そして、電源コード１２には、取付け具１３が取り付けられている。取付け具１３は、例えばＰＢＴ樹脂からなり、電源コード１２を強固に締め付けるリング状に形成されている。そして、取付け具１３は、電源コード１２が吊り下げられたときに凸部１０に当接する。これにより、器具本体２は、電源コード１２により吊り下げられる。
【００２０】
天板部９の下面９ｂには、複数個の円柱状のリブ１４が突出形成されている。このリブ１４にソケット１５が取り付けられている。ソケット１５は、例えばポリカーボネート（ＰＣ）樹脂からなり、図４に示すように、その外周側に切り欠き部１６，１６，１７，１７を有し、その中央側に中央孔１８を有する円筒体１９が背面側（天板部９の下面９ｂ側）に突出するように設けられたリング状に形成されている。
【００２１】
また、ソケット１５は、中央孔１８の周りに、互いに１８０°回転対称となるように一対のだるま孔２０，２０が形成されているとともに、段付きのねじ穴２１を有するリブ２２が背面側に４個突出形成されている。このリブ２２のねじ穴２１に挿入された図示しないねじが器具本体２のリブ１４のねじ孔に螺着されることにより、ソケット１５が器具本体２に取り付けられている。そして、ソケット１５は、図２に示すように、その下面１５ａが器具本体２の下面２ａと略同一面となるように設けられている。
【００２２】
また、ソケット１５は、背面側にだるま孔２０，２０にそれぞれ沿うように図示しない一対の受け金が設けられている。この一対の受金には、それぞれ電源コード１２の電源線２３，２３が接続されている。
光源としてのＬＥＤランプ８は、図６（ａ）に示すように、一端側２４ａに透光性の保護カバー２５を取り付け、他端側２４ｂにＧＸ５３形の口金部２６が形成された略円筒状の筐体２４と、この筐体２４内に配設されたＬＥＤベアチップを有してなる図示しない発光体およびＬＥＤベアチップを点灯、消灯させる図示しない点灯装置を有して形成されている。筐体２４は、例えばポリブチレンテレフタレート（ＰＢＴ）樹脂にて形成され、保護カバー２５は、例えばポリカーボネート（ＰＣ）樹脂にて成型されている。
【００２３】
口金部２６は、筐体２４の上面２４ｃの中央部に突出形成された円筒状の突出部２７およびこの突出部２７に隣接し突出部２７に対して互いに１８０°の回転位置に配設された一対のランプピン２８，２８からなっている。一対のランプピン２８，２８は、例えば黄銅からなり、先端側が径大の略円筒状に形成され、筐体２４内に配線されたリード線により点灯装置の入力側に接続されている。突出部２７の外周面２７ａには、略Ｌ形のキー溝部２９が互いに１８０°の回転位置となるように一対形成されている。このキー溝部２９は、ソケット１５に設けられたキー凸部３２（図４に示す。）に嵌合し、ソケット１５を介して筐体２４を器具本体２に固定するものである。
そして、筐体２４の外周面２４ｄには、放熱面積を増加させるための放熱フィン３０が一定の間隔で多数形成されている。また、保護カバー２５の外面２５ａは、その周縁側が傾斜面に、その中央側が平面にそれぞれ形成され、その周縁側には複数個の突起３１が形成されている。図６（ｂ）に示すように、突起３１は、外面２５ａにおいて１８０°回転対称に設けられている。
【００２４】
図４において、ＬＥＤランプ８は、その突出部２７がソケット１５の中央孔１８に挿入され、その一対のランプピン２８，２８が一対のだるま孔２０，２０に挿入される。そして、ＬＥＤランプ８が回動されることにより、一対のランプピン２８，２８がソケット１５の背面側にだるま孔２０，２０に沿うように設けられている図示しない一対の受け金にそれぞれ接続する。また、キー溝部２９が円筒体１９に設けられたキー凸部３２に嵌合し、ＬＥＤランプ８がソケット１５に固定される。
【００２５】
そして、電源コード１２は、図１に示すように、引掛シーリングボディ３３に取り付けられている。引掛シーリングボディ３３には、コード収納シーリングカバー３４が装着されている。引掛シーリングボディ３３は、例えばユリア樹脂により形成され、コード収納シーリングカバー３４は、例えばＡＢＳ樹脂により形成されている。そして、引掛シーリングボディ３３は、例えば天井に配設されている図示しない引掛シーリングに取り付けられる。これにより、器具本体２は、天井に吊り下げられる。
【００２６】
図２において、リング体３は、例えばＡＢＳ樹脂からなり、所定の肉厚を有する比較的低い高さの円筒状に形成されている。そして、側面３ａの周方向に複数個、本実施形態では３個の貫通孔３５が形成されている。この貫通孔３５は、円筒の中心に対して１２０°間隔で形成されている。また、貫通孔３５は、その開口径が支持軸６を容易に挿通可能にかつ小さく形成されている。リング体３は、側面３ａが器具本体２の上面９ａに起立するように、器具本体２の上面９ａ側に載置されている。
【００２７】
なお、貫通孔３５の数量は、３個に限らず、４個、５個あるいは６個などであってもよく、言うなれば３個以上であればよい。また、リング体３は、円筒状に限らず、多角筒状などに形成されていてもよく、その大きさは、器具本体２の上面９ａ側に載置可能であればよい。また、電源コード１２を挿通できれば、側面３ａの両側に天板部および底板部が設けられていてもよい。
【００２８】
セード４は、透明な合成樹脂例えばアクリル樹脂からなり、図２中、上下方向の両端にそれぞれ開口３６，３７を有するとともに、器具本体２およびリング体３を収容可能な大きさの円筒状に形成されている。
【００２９】
そして、セード４は、外面４ａから内面４ｂに挿通する挿通孔３８が周方向にリング体３の貫通孔３５に対応して設けられている。本実施形態では、３個の挿通孔３８が周方向に円筒状の中心に対して１２０°間隔で設けられている。図１において、挿通孔３８ａ，３８ｂは、セード４の前面側に位置し、挿通孔３８ｃは、セード４の背面側に位置している。ここで、挿通孔３８は、リング体３の貫通孔３５に対応するものがあれば、貫通孔３５の数量以上が設けられていてもよい。例えば、周方向に円筒状の中心に対して６０°間隔で６個設けられていてもよい。
【００３０】
そして、挿通孔３８は、周方向の３個を１組として、セード４の図１中の上下方向に所定の等間隔で複数組が設けられている。ここで、挿通孔３８の組毎の間隔は、上下方向で異なっていてもよい。また、挿通孔３８の組毎に、上下方向で千鳥状に設けられていてもよく、ランダムに設けられていてもよい。
【００３１】
また、挿通孔３８は、図２に示すように、セード４の外面４ａから内面４ｂに向かって拡開する円錐台状に形成されている。なお、挿通孔３８は、６角錐台や８角錐台などの錐台状に形成されてもよい。また、挿通孔３８は、対称形状に限らず、非対称形状に形成されていてもよい。この場合、挿通孔３８内にＬＥＤランプ８からの放射光が入射しやすいように、図２中、セード４の下方側により拡開するように形成されるのが好ましい。
【００３２】
そして、セード４は、その内面４ｂに密接するようにして、不透明な和紙３９が設けられている。この和紙３９は、例えば1枚からなり、セード４の内面４ｂの大きさに形成されている。そして、和紙３９の外面３９ａには、図示しない模様などが形成されている。また、和紙３９は、セード４の挿通孔３８に対応する挿通穴４０が形成されている。挿通穴４０は、挿通孔３８のセード４の内面４ｂ側の大きさ以上に形成されている。和紙３９の厚さは、０．２〜１ｍｍであり、ここでは例えば０．３ｍｍである。
【００３３】
なお、和紙３９は、完全に不透明である必要はなく、適宜の不透明性を有しているものであってもよい。また、セード４は、アルミニウム（Ａｌ）などの金属で形成されてもよい。
【００３４】
光反射手段としての反射鏡５は、高反射率を有する金属例えばアルミニウム（Ａｌ）からなり、挿通孔３８の壁面に沿う筒状に形成されている。本実施形態では、円錐台の筒状に形成されている。そして、反射鏡５は、セード４の外面４ａおよび和紙３９の内面３９ｂから突出しないようにして、挿通孔３８に嵌め込まれている。反射鏡５は、セード４に形成された各挿通孔３８に設けられている。
【００３５】
なお、光反射手段は、反射鏡５に限らず、複数個の板片や塗布膜などであってもよい。
【００３６】
支持軸６は、リング体３によってセード４および和紙３９を器具本体２に取り付けるものであり、セード４に設けられた１組の挿通孔３８に対応して３個が用いられている。本実施形態では、支持軸６は、図５に示すように、ねじ４１の雄ねじ部４１ａからなっている。３個のねじ４１は、その雄ねじ部４１ａがセード４の外面４ａ側からセード４の１組の挿通孔３８にそれぞれ挿入され、さらに、その頭部４１ｂがセード４の外面４ａに当接するまで、リング体３の貫通孔３５にそれぞれ挿入される。このとき、雄ねじ部４１ａは、その先端側が貫通孔３５内に位置し、貫通孔３５を挿通しない長さに設定されている。また、ねじ４１の頭部４１ｂは、セード４の外面４ａ側の意匠を損なわないように、面状に形成されている。ねじ４１は、その頭部４１ｂの外周を掴んで回転される。
【００３７】
固定手段としてのナット７は、ねじ４１の雄ねじ部４１ａ（支持軸６）に螺合する雌ねじ部７ａを有する例えば６角柱状に形成されている。また、ナット７は、その外形の大きさが挿通孔３８のセード４の内面４ｂ側の大きさよりも大きくなるように形成されている。ナット７は、ナット７とねじ４１の頭部４１ｂとによりセード４および和紙３９を締め付けるように、ねじ４１の雄ねじ部４１ａに螺合されている。これにより、支持軸６である雄ねじ部４１ａ、すなわちねじ４１は、セード４に固定されている。ねじ４１の頭部４１ｂは、ナット７とともに、支持軸６をセード４に固定する固定手段となっている。
【００３８】
ねじ４１がセード４に固定した状態で、リング体３の貫通孔３５に挿入されている雄ねじ部４１ａ（支持軸６）部分は、セード４および和紙３９の自重により、貫通孔３５の壁面に当接する。これにより、セード４は、リング体３に支持される。
【００３９】
そして、リング体３は、図３に示すように、ねじ４１の雄ねじ部４１ａ（支持軸６）により、円筒状の中心に対して１２０°間隔でセード４を支持するので、セード４を偏りなく支持する。
【００４０】
また、貫通孔３５の開口径が雄ねじ部４１ａ（支持軸６）を挿通可能に小さく形成されていることにより、リング体３は、器具本体２の上面９ａ側での全方向への移動が規制される。例えば、図３において、リング体３がねじ４１ｘ側に移動しようとすると、ねじ４１ｙ，４１ｚのそれぞれの雄ねじ部４１ａ（支持部６）がそれぞれ挿通している貫通孔３５の壁面に当接し、リング体３が移動できなくなる。このように、セード４は、リング体３に安定して支持されている。
【００４１】
セード４をリング体３に支持させるには、まず、リング体３を吊り下げられた器具本体２の上面９ａ側に載置させる。そして、セード４の上方側の開口３６からセード４内に器具本体２およびリング体３が収容されるように、セード４を移動させるとともに、セード４の１組の挿通孔３８とリング体３の貫通孔３５とを正対させる。
【００４２】
そして、それぞれのセード４の挿通孔３８とリング体３の貫通孔３５との間にそれぞれナット７を介在させる。この後、３個のねじ４１の雄ねじ部４１ａ（支持軸６）をセード４の外面４ａ側から挿通孔３８に挿入し、雄ねじ部４１ａにナット７を螺合しながら雄ねじ部４１ａをリング体３の貫通孔３５に挿入する。３個のねじ４１の雄ねじ部４１ａをリング体３の貫通孔３５に挿入した後、各ナット７を完全に螺合して、３個のねじ４１をセード４に固定する。
【００４３】
なお、支持軸６は、ねじ４１に限らず、棒状の雄ねじであってもよい。そして、当該雄ねじに対して、セード４の外面４ａ側で例えば袋ナットを螺合させ、セード４の内面４ａ側でナット７を螺合させて、雄ねじをセード４に固定するようにしてもよい。
【００４４】
次に、第１の実施形態の作用について述べる。
【００４５】
電源コード１２を介してソケット１５に電源が供給されると、ＬＥＤランプ８が点灯する。ＬＥＤランプ８は、その保護カバー２５の外面２５ａから可視光例えば白色光を放射する。この放射光は、セード４の下方側の開口３７から直接的に外部空間に出射するとともに、広がり光が和紙３９の内面３９ｂ側で反射されて、同じく開口３７から外部空間に出射する。
【００４６】
そして、ＬＥＤランプ８よりもセード４の下方側において、セード４の挿通孔３８内に設けられた反射鏡５に、ＬＥＤランプ８の放射光の広がり光の一部が入射する。反射鏡５は、セード４の外面４ａから内面４ｂに拡開する円錐台の筒状に形成されているので、前記広がり光は、反射鏡５の下方側に入射しやすい。
【００４７】
反射鏡５に入射した光は、反射鏡５の内面で反射されて、挿通孔３８のセード４の内面４ｂ側からセード４の内部空間に出射されるとともに、挿通孔３８のセード４の外面４ａ側からセード４の外部空間に出射される。ここで、反射鏡５は、セード４の内面４ｂ側から外面４ａ側に縮径するので、セード４の外面４ａ側に繰り返し反射される光は、セード４の上下方向と直交する方向側に制御されて、挿通孔３８から外部空間に出射される。
【００４８】
そして、挿通孔３８は、セード４の周方向に等間隔（１２０°間隔）で１組が設けられ、かつセード４の上下方向に複数組が設けられているので、挿通孔３８からセード４の外部空間に出射される出射光により、セード４の外観性が高められる。すなわち、挿通孔３８により、セード４の外観上の見栄えが損なわれることが抑制される。
【００４９】
また、挿通孔３８から外部空間に出射される光は、セード４の上下方向と直交する方向側に出射されることにより、セード４の下方側の開口３７から出射される出射光（照明光）に対して、不所望な照明光とならないものである。
【００５０】
そして、挿通孔３８は、セード４の上下方向に複数組が設けられているので、ねじ４１の雄ねじ部４１ａ（支持軸６）が挿入される１組の挿通孔３８の選択に応じて、器具本体２に対するセード４の取付位置が変更される。すなわち、セード４は、その上方側の１組の挿通孔３８の位置において、ねじ４１の雄ねじ部４１ａ（支持軸６）によりリング体３に支持されると、ＬＥＤランプ８は、セード４の上方側に位置して下方側の開口３７から遠ざかる。また、セード４は、その下方側に向かう１組の挿通孔３８でリング体３に支持されるにしたがい、ＬＥＤランプ８をセード４の下方側に位置させるようになり、これにより、ＬＥＤランプ８が下方側の開口３７に近づく。
【００５１】
ＬＥＤランプ８がセード４の上方側に位置し下方側の開口３７から遠ざかるにしたがい、セード４の直下における床面の直下照度は低くなり、セード４の開口３７における配光角は狭くなる。当該直下照度が低くなるのは、ＬＥＤランプ８と床面との距離が大きくなるとともに、床面に照射するＬＥＤランプ８からの直接光の割合が低下するためである。また、当該配光角が狭くなるのは、ＬＥＤランプ８からの放射光が和紙３９の内面３９ｂでけられる割合が大きくなることによる。
【００５２】
逆に、ＬＥＤランプ８がセード４の下方側の開口３７に近づくにしたがい、セード４の直下における床面の直下照度は高くなり、セード４の開口３７における配光角は広くなる。当該直下照度が高くなるのは、ＬＥＤランプ８と床面との距離が小さくなるとともに、床面に照射するＬＥＤランプ８からの直接光の割合が大きくなるためである。また、当該配光角が広くなるのは、ＬＥＤランプ８からの放射光が和紙３９の内面３９ｂでけられる割合が小さくなることによる。
【００５３】
上述したように、吊り下げ形照明器具１は、リング体３（器具本体２）に対するセード４の支持位置（取付位置）を挿通孔３８の組数で段階的に変更することができて、セード４の直下照度および開口３７における配光角をそれぞれ変更できる。
【００５４】
本実施形態の吊り下げ形照明器具１によれば、セード４の上下方向に複数組の挿通孔３８が設けられているので、ねじ４１の雄ねじ部４１ａ（支持軸６）が挿入される１組の挿通孔３８を変更することにより、器具本体２に対するセード４の取付位置を変更することができて、セード４の直下照度および開口３７における配光角をそれぞれ変更することができるという効果を有する。
【００５５】
また、セード４の挿通孔３８内には、光反射手段としての反射鏡５が設けられているので、ねじ４１の雄ねじ部４１ａ（支持軸６）が挿入されない挿通孔３８からの出射光が所定の方向に制御され、これにより、セード４の外観上の見栄えが損なわれることを抑制できて、吊り下げ形照明器具１の品質の低下を抑制できるという効果を有する。
【００５６】
そして、反射鏡５は、高反射率を有する金属製例えばアルミニウム製であり、挿通孔３８に嵌め込まれているので、反射による光損失を低減できるとともに、容易に挿通孔３８内に設けることができてセード４のコストアップを抑制できるという効果を有する。
【００５７】
次に、本発明の第２の実施形態について説明する。
【００５８】
本実施形態の吊り下げ形照明器具４２は、図７ないし図９に示すように構成される。なお、図７ないし図９において、図２、図３および図５と同一部分および同一部分に相当する部分には、同一符号を付して説明は省略する。
【００５９】
図７において、吊り下げ形照明器具４２は、器具本体４３が異なる以外、図２に示す吊り下げ形照明器具１とほぼ同様に形成されている。
【００６０】
器具本体４３は、例えばＰＢＴ樹脂からなり、上端側に天板部４４および下端側に外方に突出する円形のフランジ部４５を有する円筒体４６と、フランジ部４５から起立するように延出して円筒体４６の外面４６ａとの間で環状溝４７を形成する円形の環状壁４８とを有している。環状壁４８は、そのフランジ部４５からの起立長が円筒体４６の起立長の１／２以下、ここでは１／３程度となるように形成されている。また、環状壁４８は、図８に示すように、連結部４９により円筒体４６に連結されている。連結部４８は、板状に形成され、円筒体４６と環状壁４８とに一体的に設けられているいとともに、円筒体４６の外周面４６ａの周方向に９０°間隔で設けられている。
【００６１】
図７において、天板部４４は、幾分盛り上がった曲面状に形成され、その下面（内面）４４ｂ側の中央部に円柱状の凸部１０を有している。凸部１０には、天板部４４の上面４４ａから下面４４ｂ側に達する挿入孔１１が形成されている。この挿入孔１１に天板部４４の上面４４ａ側から電源コード１２が挿入されている。電源コード１２には、取付け具１３が取り付けられている。また、天板部４４の下面４４ｂには、複数個の円柱状のリブ１４が突出形成されている。このリブ１４にソケット１５が取り付けられている。
【００６２】
リング体３は、円筒体４６を挿通して環状壁４８に載置されている。リング体３は、環状壁４８に載置された状態で、天板部４４の上面４４ａから突出しない大きさに形成されている。また、リング体３は、図９に示すように、その内面３ａが円筒体４６の外周面４６ａに接近し、その下面３ｃが環状壁４８の上面４８ａに載置可能な大きさに形成されている。ここで、環状壁４８の上面４８ａは、器具本体４３の上面でもある。すなわち、リング体３が環状壁４８の上面４８ａに載置されることは、リング体３が器具本体４３の上面側に載置されることを意味する。
【００６３】
そして、リング体３は、その貫通孔３５にねじ４１の雄ねじ部４１ａ（支持軸６）が挿入されている。ねじ４１は、固定手段としてのナット７によりセード４に固定されている。ナット７は、リング体３および和紙３９の間に介在し、リング体３の側面３ａおよび和紙３９の内面３９ｂにそれぞれ当接する大きさに形成されている。セード４は、ねじ４１によりリング体３に支持されることにより、器具本体４３に吊り下げられている。
【００６４】
次に、第２の実施形態の作用について述べる。
【００６５】
セード４をリング体３に支持させるには、まず、リング体３に器具本体４３の円筒体４６を挿入し、リング体３を器具本体４３の環状壁４８の上面４８ａに載置させる。そして、セード４の上方側の開口３６からセード４内に器具本体４３およびリング体３が収容されるように、セード４を移動させるとともに、セード４の１組の挿通孔３８とリング体３の貫通孔３５とを正対させる。
【００６６】
そして、それぞれのセード４の挿通孔３８とリング体３の貫通孔３５との間にそれぞれナット７を介在させる。このとき、ナット７の雌ねじ部７ａをセード４の挿通孔３８および和紙３９の挿通穴４０と、リング体３の貫通孔３５とに正対させる。ナット７は、リング体３の側面３ａおよび和紙３９の内面３９ｂにそれぞれ当接する大きさに形成されているので、リング体３の側面３ａの周方向で３個のナット７をリング体３および和紙３９の間に介在させることにより、ナット７は、落下しにくい状態で、リング体３および和紙３９の間に位置する。
【００６７】
そして、３個のねじ４１の雄ねじ部４１ａ（支持軸６）をセード４の外面４ａ側から挿通孔３８に挿入して、ねじ４１の頭部４１ｂを回転させて雄ねじ部４１ａをナット７の雌ねじ部７ａに螺合する。ねじ４１は、その頭部４１ｂがセード４の外面４ａに当接するまでナット７の雌ねじ部７ａに螺合される。これにより、ねじ４１の雄ねじ部４１ａがリング体３の貫通孔３５に挿入する。ねじ４１は、ナット７によりセード４に固定されるとともに、リング体３に支持される。こうして、セード４および和紙３９は、リング体３に支持されて、器具本体４３に吊り下げられる。
【００６８】
ナット７が落下しにくい状態でリング体３および和紙３９の間に介在して、ナット７の雌ねじ部７ａがセード４の挿通孔３８および和紙３９の挿通穴４０とリング体３の貫通孔３５とに正対していると、ねじ４１の雄ねじ部４１ａをナット７の雌ねじ部７ａに螺合させてリング体３の貫通孔３５に挿入する作業が容易に行える。
【００６９】
そして、リング体３は、その内面３ｂと、器具本体４３の円筒体４６の外周面４６ａが接近しているので、環状壁４８の上面４８ａで移動すると、少し移動するだけで、その内面３ｂが円筒体４６の外周面４６ａに当接する。すなわち、器具本体４３は、リング体３の内面３ｂの間で移動可能であり、セード４等も当該移動に規制される。
【００７０】
本実施形態の吊り下げ形照明器具４２によれば、リング体３は、その内面３ｂ間に器具本体４３の円筒体４６を挿入して環状壁４８の上面４８ａに載置され、その内面３ｂと円筒体４６の外周面４６ａとが接近しているので、環状壁４８の上面４８ａでの移動が少しの移動に規制され、これにより、リング体３に支持されているセード４等を安定して器具本体４３に取り付けることができるという効果を有する。
【００７１】
また、リング体３の内面３ｂ間に器具本体４３の円筒体４６を挿入しているので、セード４の上下方向における器具本体４３およびリング体３の占有空間を小さくすることができて、吊り下げ形照明器具４２の小型化を図ることができるという効果を有する。
【００７２】
なお、第１および第２の実施形態において、セード４は、円筒状に形成したが、下方側または上方側に拡開する円錐台や角錐台などの錐台または逆錐台の筒状に形成されてもよい。この場合、挿通孔３８は、セード４の上下方向と直交する方向に、セード４の外面４ａから内面４ｂに向かって拡開するように形成されるのが好ましい。
【符号の説明】
【００７３】
１，４２…吊り下げ形照明器具、  ２，４３…器具本体、  ３…リング体、  ４…セード、  ５…光反射手段としての反射鏡、  ６…支持軸、  ７…固定手段としてのナット、  ３５…貫通孔、  ３８…挿通孔
【図１】
2013157192.tif 000003
【図２】
2013157192.tif 000004
【図３】
2013157192.tif 000005
【図４】
2013157192.tif 000006
【図５】
2013157192.tif 000007
【図６】
2013157192.tif 000008
【図７】
2013157192.tif 000009
【図８】
2013157192.tif 000010
【図９】
2013157192.tif 000011